(57)【要約】【課題】当該発明は、像の質を改善するための補正器（３３０）及びコントラストを改善するための位相板（３４０）を備えたＴＥＭに関係する。【解決手段】改善されたＴＥＭは、対物系のレンズ及び位相板の間に完全に置かれた補正系を具備すると共に、位相板における回折平面の拡大された像を形成するために補正器のレンズを使用する。【選択図】図４
2009193963.tif 000002
【特許請求の範囲】
【請求項１】
粒子の実質的に平行なビームで試料を照射すること及び試料を通じて透過させられた粒子を検出することによって試料の像を形成するための装置であって、
・  粒子のビームを生成させるための粒子源、
・  平行なビームを形成するためのコンデンサー系、
・  試料位置に試料を保持するための試料ホルダー、
・  試料の拡大された像を形成するための対物系のレンズ、
・  試料を通過したビームの散乱されてない部分が実質的に丸いフォーカスを形成する平面に位置させられた位相板、
・  対物系のレンズの収差を補正するための補正系、及び
・  試料の拡大された像をさらに拡大するための投射系
：を具備する、装置において、
・  補正系の少なくとも一部分は、試料位置及び位相板の間に置かれると共に、
・  前記補正系の少なくとも一部分は、位相板の平面に対物系のレンズの後側焦平面を結像させるために備え付けられる
ことを特徴とする、装置。
【請求項２】
補正系は、対物系のレンズの球面収差の少なくとも一部分を補正する、請求項１に記載の装置。
【請求項３】
補正系は、試料位置及び位相板の間に完全に置かれる、請求項１又は２に記載の装置。
【請求項４】
位相板は、対物系のレンズの後側焦平面の拡大された像が形成される平面に置かれる、請求項１乃至３のいずれかに記載の装置。
【請求項５】
対物系のレンズの後側焦平面及び位相板が置かれる平面の間の倍率は、変動させられることができる、請求項４に記載の装置。
【請求項６】
補正系は、ダブレットを具備すると共に、後側焦平面及び位相板が置かれる平面の間の倍率は、ダブレットの倍率を変動させることによって変動させられる、請求項５に記載の装置。
【請求項７】
補正系は、多重極子を具備すると共に、前記多重極子及び位相板の間の二つのレンズは、前記倍率を変動させるために使用される、請求項５に記載の装置。
【請求項８】
補正系及び投射系の間にレンズは、投射系の入口に試料を結像させるために置かれる、請求項１乃至７のいずれかに記載の装置。
【請求項９】
補正系は、少なくとも部分的に対物系のレンズの色収差をさらに補正する、請求項１乃至８のいずれかに記載の装置。
【請求項１０】
粒子のビームは、電子のビームである、請求項１乃至９のいずれかに記載の装置。
【請求項１１】
位相板は、格納式に載せられる、請求項１乃至１０のいずれかに記載の装置。
【発明の詳細な説明】
【技術分野】
【０００１】
当該発明は、粒子の実質的に平行なビームで試料を照射すること及び試料を通じて透過させられた粒子を検出することによって試料の像を形成するための装置に関係するが、その装置は、
・  粒子のビームを生成させるための粒子源、
・  平行なビームを形成するためのコンデンサー系
・  試料位置に試料を保持するための試料ホルダー、
・  試料の拡大された像を形成するための対物系のレンズ、
・  試料を通過したビームの散乱されてない部分が実質的に丸いフォーカスを形成する平面に位置させられた位相板、
・  対物系のレンズの収差を補正するための補正系、及び
・  試料の拡大された像をさらに拡大するための投射系
：を具備するものである。
【背景技術】
【０００２】
このような装置は、“Ｅｆｆｅｃｔ  ｏｆ  ａ  ｐｈｙｓｉｃａｌ  ｐｈａｓｅ  ｐｌａｔｅ  ｏｎ  ｃｏｎｔｒａｓｔ  ｔｒａｎｓｆｅｒ  ｉｎ  ａｎ  ａｂｅｒｒａｔｉｏｎ−ｃｏｒｒｅｃｔｅｄ  ｔｒａｎｓｍｉｓｓｉｏｎ  ｅｌｅｃｔｒｏｎ  ｍｉｃｒｏｓｃｏｐｅ”，Ｄ．Ｇｅｒｔｈｓｅｎ  ｅｔ  ａｌ．，Ｍｉｃｒｏｓｃ．Ｍｉｃｒｏａｎａｌ．１３（Ｓｕｐｐｌ．２）２００７，ｐａｇｅｓ  １２６−１２７（非特許文献１）から知られる。
【０００３】
透過型電子顕微鏡（Transmission  Electron  Microscope）（ＴＥＭ）においては、電子源によって生成させられた電子のビームは、試料を照明する電子の平行なビームへと形成される。試料は、電子の一部が試料を通過すると共に電子の一部が試料において吸収されるように、非常に薄いものである。電子のいくつかは、他のものが、散乱することなしに試料を通過する一方で、それらが試料に入るところと異なる角度でそれらが試料を出るように、試料において散乱される。蛍光スクリーン又はＣＣＤカメラのような、検出器に試料を結像させることによって、強度の変動は、像平面に帰着する。強度のゆらぎは、一部分において試料の一部における電子の吸収に、並びに、一部分において散乱された及び散乱されてない電子の間の干渉に、よるものである。後者の機構は、ほとんど電子が吸収されない試料、例．生物学的な組織のような低いＺの材料、を観察するとき、特に重要なものである。
【０００４】
相互に干渉する電子から結果として生じる像のコントラストは、電子が散乱される角度に依存する。特定の空間周波数を備えた物体は、特定の角度でビームを散乱させるが、散乱する角度は、空間周波数に比例するものである。低い空間周波数については、散乱する角度は、ゼロに近いものであると共にコントラストは、ゼロに近いものである、より高い空間周波数については、コントラストは、空間周波数に依存するものであるが、正のコントラスト及び負のコントラストの間でゆらぐ。これは、いわゆるコントラスト伝達関数（Contrast  transfer  function）（ＣＴＦ）によって記載される。ＣＴＦが、低い空間周波数についてゼロに近いものである際には、大きい構造は、像において分解されることができない。
【０００５】
１９４７年に、Ｂｏｅｒｓｃｈ（ベルシュ）は、位相板の導入が、低い空間周波数が最大を示すＣＴＦに帰着するであろうということと共に、大きい構造が、このように結像されることができることを記載した、“Ｕ（ウムラウト）ｂｅｒ  ｄｉｅ  Ｋｏｎｔｒａｓｔｅ  ｖｏｎ  Ａｔｏｍｅｎ  ｉｍ  Ｅｌｅｋｔｒｏｎｅｎｍｉｋｒｏｓｋｏｐ”，Ｈ．Ｂｏｅｒｓｃｈ，Ｚ．Ｎａｔｕｒｆｏｒｓｃｈｕｎｇ  ２Ａ（１９４７），ｐ．６２５−６３３（非特許文献２）を参照のこと。最近では、このような位相板は、ＴＥＭのものにおいて首尾良く導入されてきたものである。位相板は、試料を照明する平行なビームが、試料を通過してしまった後で、集束させられる平面に置かれる構造である。この平面において、全ての散乱されてない電子は、散乱された電子が、他の位置に結像させられる一方で、一点に集束される。位相板は、例．π／２の散乱された及び散乱されてない電子の間の位相シフトを引き起こすが、それによって余弦様の挙動へＣＴＦの正弦様の挙動を転換するものである。
【０００６】
このような位相シフトは、例．一時的に散乱されてない電子を加速させること若しくは減速させること（いわゆるＢｏｅｒｓｃｈの位相板）によって、又は、例．炭素の薄いホイルを通じて散乱された電子を通過させること（いわゆるＺｅｒｎｉｋｅ（ゼルニケ）タイプの位相板、“Ｔｒａｎｓｍｉｓｓｉｏｎ  ｅｌｅｃｔｒｏｎ  ｍｉｃｒｏｓｃｏｐｙ  ｗｉｔｈ  Ｚｅｒｎｉｋｅ  ｐｈａｓｅ  ｐｌａｔｅ”，Ｒ．Ｄａｎｅｖ  ｅｔ  ａｌ．，Ｕｌｔｒａｍｉｃｒｏｓｃｏｐｙ  ８８（２００１），ｐａｇｅｓ  ２４３−２５２（非特許文献３）を参照のこと）によって、引き起こされることができる。また、Ａｈａｒｏｎｏｖ−Ｂｏｈｍ（アハロノフ−ボーム）効果に基礎が置かれた磁気的な位相板は、知られる（“Ｅｘｐｅｒｉｍｅｎｔａｌ  ｃｏｎｆｉｒｍａｔｉｏｎ  ｏｆ  Ａｈａｒｏｎｏｖ−Ｂｏｈｍ  ｅｆｆｅｃｔ  ｕｓｉｎｇ  ａ  ｔｏｒｏｉｄａｌ  ｍａｇｎｅｔｉｃ  ｆｉｅｌｄ  ｃｏｎｆｉｎｅｄ  ｂｙ  ａ  ｓｕｐｅｒｃｏｎｄｕｃｔｏｒ”，Ｎ．Ｏｓａｋａｂｅ  ｅｔ  ａｌ．，Ｐｈｙｓ．Ｒｅｖｉｅｗ  Ａ，Ｖｏｌ．３４（１９８６）Ｎｏ．２，ｐａｇｅｓ  ８１５−８２２（非特許文献４）を参照のこと）。
【０００７】
Ｂｏｅｒｓｃｈの位相板は、位相板の物理的な構造によるこれらの散乱された電子の遮断無しに散乱された電子（の大部分）を通過させるための非常に小さい直径を有するものでなければならない。このような位相板の製造は、例．Ｈｉｔａｃｈｉへの米国特許第５，８１４，８１５号（特許文献１）に、及び、Ｇｌａｅｓｅｒへの国際出願ＷＯ２００６／０１７２５２（特許文献２）に、記載される。
【０００８】
ＴＥＭのものにおける最近の発達は、このような装置の対物系のレンズの収差を補正するものであると共にそれによって前記のＴＥＭのものの分解能を改善するものである、収差補正器の導入である。
【０００９】
このような補正系は、例．ＣＥＯＳ  Ｇｍｂｈ，Ｈｅｉｄｌｂｅｒｇ  Ｇｅｒｍａｎｙへの欧州特許ＥＰ１０５７２０４Ｂ１（特許文献３）から知られる。このような補正系を備えたＴＥＭのものは、今、商業的に入手可能なもの、例．ＦＥＩ  Ｃｏ．，Ｈｉｌｌｓｂｏｒｏ，ＵＳＡのＴｉｔａｎＴＭ  ８０−３００である。
【００１０】
このような補正系は、対物系のレンズ及びＴＥＭの投射系の間に置かれる。補正系は、六重極子に対物系のレンズの後側焦平面を結像させるものである、レンズ・ダブレットの形態における伝達系を具備する。前記の六重極子は、そのとき、レンズのダブレットによって別の六重極子に結像させられると共に、最後にアダプターレンズは、ＴＥＭの投射系のために物体の像を形成するために使用される。
【００１１】
他の補正系が、知られるが、各々が、それの自身の好都合なこと及び不都合なことを備えたものであることは、留意されることである。差異は、主光線が補正系を通過する正確な様式にのみならず、伝達系、多重極子（四重極子／八重極子対六重極子）の数及びタイプ、多重極子の間におけるレンズの数、などにあることがある。
【００１２】
Ｇｅｒｔｈｓｅｎ  ｅｔ  ａｌ．の論文において、対物系のレンズの後側焦平面に挿入された位相板を備えた収差を補正する系を組み合わせることは、提案されることである。
【００１３】
対物系のレンズの前記の後側焦平面に位相板を備えた電子顕微鏡を構築するとき問題は、この平面が、アクセスすることが非常に困難なものである：対物系のレンズが、典型的には１−５ｍｍの焦点距離を有する際には、後側焦平面は、対物系のレンズを形成する二つの極片の一つの穴の内側に又はそれの近くに物理的に位置させられる、ということである。
【００１４】
対物系のレンズの後側焦平面が、アクセスすることが困難なものであることがある別の理由は、生物学的な試料が、しばしば低温の条件に結像されるというものである、すなわち：試料は、沸騰する窒素又は沸騰するヘリウムのものに近い低温の温度に保持される。これは、寒冷の遮蔽物で試料の位置を囲むことによって達成されるが、前記の寒冷の遮蔽物は、前記の低温の温度に近い又はそれにおける温度に保持される。後側焦平面は、典型的には試料の位置から取り除かれたミリメートルのみであると共に、従って低温の遮蔽物は、また、対物系のレンズの後側焦平面に非常に近い又はそれにおけるものである。
【００１５】
試料それ自体が、低温の温度に保たれないときでさえ、抗汚染遮蔽物は、しばしば、試料の付近における汚染を予防するために使用される。これらの抗汚染遮蔽物は、試料の近所に位置決めされた及び液体窒素の温度に保たれた遮蔽物、即ち、前に述べられた寒冷の遮蔽物に非常に類似のもの、である。
【００１６】
後側焦平面が、アクセスすることが困難なものであるなおも別の理由は、このような位相板が、良好にセンタリングされるのでなければならないというものである。これは、ビームに関してアパーチャを位置決めするための、ＴＥＭのものについて知られた位置決めする機構に類似の、センタリング機構を要求する。この位置決めする機構は、例．対物系のレンズの極片における穴を介して、後側焦平面へのアクセスを必要とする。当業者に知られたように、このような穴は、対物系のレンズの対称性を乱すと共にそれによってレンズの質を劣化させることがある。また、位置決めすることのために、好ましくはモーターを含むものである、顕微鏡の外側における機構は、必要とされる。このような部分は、良好に機械的に、Ｘ線、二次電子、などを検出するための補助の検出器のような、また試料の平面において又はそれの付近に位置決めされることを必要とするＴＥＭの他の部分と干渉することがある。
【先行技術文献】
【特許文献】
【００１７】
【特許文献１】米国特許第５，８１４，８１５Ａ号明細書
【特許文献２】国際公開第２００６／０１７２５２号パンフレット
【特許文献３】欧州特許第１０５７２０４号明細書
【特許文献４】米国特許第６，７４４，０４８Ｂ２号明細書
【特許文献５】米国特許出願公開第２００７／２８４５２８Ａ１号明細書
【特許文献６】欧州特許出願公開第１０，２００５，０４０２６７Ａ１号明細書
【特許文献７】国際公開第９９／３８１８８Ａ号パンフレット
【非特許文献】
【００１８】
【非特許文献１】ＧＥＲＴＨＳＥＮ  Ｄ．ｅｔ  ａｌ．，“Ｅｆｆｅｃｔ  ｏｆ  ａ  Ｐｈｙｓｉｃａｌ  Ｐｈａｓｅ  Ｐｌａｔｅ  ｏｎ  Ｃｏｎｔｒａｓｔ  Ｔｒａｎｓｆｅｒ  ｉｎ  ａｎ  Ａｂｅｒｒａｔｉｏｎ−Ｃｏｒｒｅｃｔｅｄ  Ｔｒａｎｓｍｉｓｓｉｏｎ  Ｅｌｅｃｔｒｏｎ  Ｍｉｃｒｏｓｃｏｐｅ”，ＭＩＣＲＯＳＣＯＰＹ  ＡＮＤ  ＭＩＣＲＯＡＮＡＬＹＳＩＳ，ＳＰＲＩＮＧＥＲ，ＮＥＷ  ＹＯＲＫ，ＮＹ，ＵＳ，ｖｏｌ．１３，Ｎｏ．Ｓｕｐｐｌ．２，１  Ｊａｎｕａｒｙ  ２００７，ｐａｇｅｓ  １２６−１２７
【非特許文献２】Ｈ．Ｂｏｅｒｓｃｈ，“Ｕ（ウムラウト）ｂｅｒ  ｄｉｅ  Ｋｏｎｔｒａｓｔｅ  ｖｏｎ  Ａｔｏｍｅｎ  ｉｍ  Ｅｌｅｋｔｒｏｎｅｎｍｉｋｒｏｓｋｏｐ”，Ｚ．Ｎａｔｕｒｆｏｒｓｃｈｕｎｇ  ２Ａ（１９４７），ｐ．６２５−６３３
【非特許文献３】“Ｔｒａｎｓｍｉｓｓｉｏｎ  ｅｌｅｃｔｒｏｎ  ｍｉｃｒｏｓｃｏｐｙ  ｗｉｔｈ  Ｚｅｒｎｉｋｅ  ｐｈａｓｅ  ｐｌａｔｅ”，Ｒ．Ｄａｎｅｖ  ｅｔ  ａｌ．，Ｕｌｔｒａｍｉｃｒｏｓｃｏｐｙ  ８８（２００１），ｐａｇｅｓ  ２４３−２５２
【非特許文献４】Ｎ．Ｏｓａｋａｂｅ  ｅｔ  ａｌ．，“Ｅｘｐｅｒｉｍｅｎｔａｌ  ｃｏｎｆｉｒｍａｔｉｏｎ  ｏｆ  Ａｈａｒｏｎｏｖ−Ｂｏｈｍ  ｅｆｆｅｃｔ  ｕｓｉｎｇ  ａ  ｔｏｒｏｉｄａｌ  ｍａｇｎｅｔｉｃ  ｆｉｅｌｄ  ｃｏｎｆｉｎｅｄ  ｂｙ  ａ  ｓｕｐｅｒｃｏｎｄｕｃｔｏｒ”，Ｐｈｙｓ．Ｒｅｖｉｅｗ  Ａ，Ｖｏｌ．３４（１９８６）Ｎｏ．２，ｐａｇｅｓ  ８１５−８２２
【非特許文献５】ＭＡＲＫＵＳ  ＷＩＤＥＲＳＰＡＨＮ，“Ｇｒｏｕｎｄｂｒｅａｋｉｎｇ  Ｄｅｖｅｌｏｐｍｅｎｔ  Ｐｒｏｊｅｃｔ  ｆｏｒ  Ｂｉｏｔｅｃｈｎｏｌｏｇｉｅｓ”，ＣＡＲＬ  ＺＥＩＳＳ  ＰＲＥＳＳ  ＲＥＬＥＡＳＥ，ＮＥＷ  ＥＬＥＣＴＲＯＮ  ＭＩＣＲＯＳＣＯＰＥ，２３  Ｆｅｂｒｕａｒｙ  ２００７
【発明の概要】
【発明が解決しようとする課題】
【００１９】
位相板及び補正系を備えた改善されたＴＥＭについての要望がある。
【課題を解決するための手段】
【００２０】
その目的のために、当該発明に従った装置は、
・補正系の少なくとも一部分は、試料の位置及び位相板の間に置かれる、と共に、
・補正系の前記の少なくとも一部分は、位相板の平面に対物系のレンズの後側焦平面を結像させるために備え付けられる
ということにおいて特徴付けられる。
【図面の簡単な説明】
【００２１】
【図１Ａ】図１Ａは、概略的に、先行技術のＢｏｅｒｓｃｈの位相板を示す。
【図１Ｂ】図１Ｂは、概略的に、先行技術のＢｏｅｒｓｃｈの位相板を示す。
【図２】図２は、位相板無しの及び有りのＴＥＭのコントラスト伝達関数を示す。
【図３】図３は、概略的に、先行技術の補正系を示す。
【図４】図４は、概略的に、当該発明に従った補正系及び位相板の好適な実施形態を示す。
【図５】図５は、概略的に、補正系及び位相板の間における追加されたレンズとともに、当該発明に従った補正系及び位相板を示す。
【図６】図６は、概略的に、当該発明に従ったＴＥＭを示す。
【発明を実施するための形態】
【００２２】
Ｇｅｒｔｈｓｅｎの論文においては、位相板は、対物系のレンズの後側焦平面に置かれる。これは、位相板が、対物系のレンズ及び補正系の間に位置決めされることを暗示すると共に、このように前に述べられた不都合なことを示す。
【００２３】
当該発明は、対物系のレンズ及び位相板の間における補正系の少なくとも一部分を置くことによって、位相板は、よりアクセス可能な平面に置かれることができるという、及び、補正系の光学素子が、位相板へと対物系のレンズの後側焦平面を結像させるために使用されることができるという、洞察に基礎が置かれる。位相板は、対物系のレンズの後側焦平面から取り除かれた平面においてこのように位置決めされるが、それによって前に述べられた不都合なことを回避するものである。これは、補正系の光学素子を使用することで達成されるが、このように後側焦平面及び位相板が置かれる平面の間における光学素子の追加を回避するものであると共に、従って追加された複雑さ及び追加された空間無しにこのような追加的な光学素子によって導入される。
【００２４】
当該発明は、前に述べられたタイプの位相板の全てとともに使用されることができることは、述べられることである。
【００２５】
位相板がよりアクセス可能なものに存する平面を作るための代替の方法が、ＪＯＥＬへの米国特許第ＵＳ６，７４４，０４８号に記載されることは、留意されることである。この特許において、（レンズ・ダブレットの形態における）標準的な伝達光学部品は、よりアクセス可能なものである異なる位置において対物系のレンズの後側焦平面の１：１の像を作るために使用される。
【００２６】
この代替の方法の不都合なことは、このような伝達光学部品の導入が、対物系のレンズ及び収差を補正する系の間に（追加的な）レンズ・ダブレットを導入するというものであるが、追加された複雑さに帰着する。
【００２７】
追加されたダブレット及びレンズの間におけるドリフト空間の別の不都合なことは、機器の追加された高さである。収差が補正されたＴＥＭのものは、すでに、かなりの高さを示す：収差が補正されたＴｉｔａｎＴＭ  ８０−３００は、３．４メートルを超過する高さを有する。このようなＴＥＭのものが位置させられる部屋の高さの要件は、高さにおいて４メートルを超えるものであることが推奨される。これらの部屋が、良好な条件付けるもの、温度の条件付けるもの、防音すること、及び振動からの隔離を必要とする際に、これらの部屋の費用は、これらの機器を取り付けるための費用に対してかなり加わることがある。さらにこのような機器の高さを増加させることは、これらの費用におけるさらなる増加に至ることがある。
【００２８】
別のこのような方法が、“Ａｄａｐｔｉｎｇ  ｔｈｅ  ｓｐａｔｉａｌ−ｆｒｅｑｕｅｎｃｙ  ｂａｎｄ  ｐａｓｓ  ｏｆ  ｉｎ−ｆｏｃｕｓ  ｐｈａｓｅ−ｃｏｎｔｒａｓｔ  ａｐｅｒｔｕｒｅ  ｆｏｒ  ｂｉｏｌｏｇｉｃａｌ  ａｐｐｌｉｃａｔｉｏｎｓ”，Ｒ．Ｍ．Ｇｌａｅｓｅｒ  ｅｔ  ａｌ．，Ｍｉｃｒｏｓｃ．Ｍｉｃｒｏａｎａｌ．１３（Ｓｕｐｐｌ．２）２００７，ｐａｇｅ  １２１４ＣＤ−１２１５ＣＤに記載されることは、さらに留意されることである。ここで、対物系のレンズ及び位相板の間におけるリレーレンズは、後側焦平面の大きくされた像を形成するために提案される。この論文は、また、位相板が備え付けられたＴＥＭを改善するための収差を補正する素子の使用を示唆する。しかしながら、論文は、どのようにＴＥＭ、位相板、及び補正系を組み合わせるかを開示するものではない。
【００２９】
この方法の不都合なことは、リレーレンズの導入が、機器の複雑さに加わることである。この方法の別の不都合なことは、追加されたリレーレンズが、また、機器の高さに加わることになるというものであるが、それは、前に述べられたように、不都合なことである。
【００３０】
この方法の不都合なことは、リレーレンズそれ自体が、また、収差を導入するというものであるが、それは、対物系のレンズの収差に対して比較されたとき、無視できるものではないことがある。従って、試料の収差の無い像、−又は少なくとも低減された収差を備えた像−を得るために、リレーレンズの収差は、同様に補正されるべきであるが、補正系の要求に加わるものである。
【００３１】
当該発明に従った装置の実施形態において、補正系は、対物系のレンズの球面収差の少なくとも一部分を補正する。
【００３２】
Ｇｅｒｔｈｓｅｎ  ｅｔ  ａｌ．の前に述べられた論文において参照された、及び、ＣＥＯＳ  Ｇｍｂｈ，Ｈｅｉｄｅｌｂｅｒｇ，Ｇｅｒｍａｎｙによって生産された、及び、例．ＦＥＩ  Ｃｏｍｐａｎｙ，Ｈｉｌｌｓｂｏｒｏ，ＵＳＡのＴｉｔａｎＴＭ  ８０−３００に組み込まれた、補正系は、対物系のレンズの球面収差を補正する。
【００３３】
球面収差だけではなく色収差もまた補正されるＴＥＭのものが、知られることは、留意されることである。
【００３４】
当該発明に従った装置の好適な実施形態において、補正系は、対物系のレンズ及び位相板の間に完全に置かれる。
【００３５】
この実施形態において、完全な補正系は、対物系のレンズ及び位相板の間に置かれることがある。
【００３６】
追加的な補正系が、走査型透過型電子顕微鏡（Scanning  Transmission  Electron  Microscope）（ＳＴＥＭ）として動作することの可能な機器に使用されることがあるが、それにおいては微細に集束させられたビームが、試料にわたって走査されることは、留意されることである。補正系は、前記の微細に集束させられたビームを形成するレンズの収差を補正するために使用されることがある。
【００３７】
追加的な補正系が、例．対物系のレンズの色収差の効果、を最小にするために使用されることがあることは、さらに留意されることである。
【００３８】
当該発明に従った装置の別の好適な実施形態において、位相板は、対物系のレンズの後側焦平面の拡大された像が、形成される平面に置かれる。
【００３９】
対物系のレンズの後側焦平面の拡大された像を形成することの好都合なことは、例．Ｂｏｅｒｓｃｈの位相板が、位相板の与えられた直径について、あまり散乱されてない電子を遮るというものである。
【００４０】
別の好都合なことは、位相板がセンタリングされるのでなければならない確度が軽減されるというものである。
【００４１】
対物系のレンズの後側焦平面の拡大された像に位相板を置くことについてのなおも別の好都合なことは、散乱されてないビームの結果として生じるより低い電流密度である。
【００４２】
位相板が、散乱されてないビームの焦点のまわりにセンタリングされるのでなければならないことは、留意されることである。前記の焦点は、高い電流密度を示すと共に、位相板のセンタリングの間に位相板の小さな構造は、この電流の大部分を遮断することがあるが、もしかすると位相板（の一部分）の過熱に帰着するものである。
【００４３】
Ｇｌａｅｓｅｒの論文において提案されたリレーレンズが、また、対物系のレンズの後側焦平面の大きくされた像を形成することがあることは、さらに留意されることである。
【００４４】
当該発明に従った装置のさらなる実施形態において、対物系のレンズの後側焦平面及び位相板が置かれる平面の間における倍率は、変動させられることができる。
【００４５】
Ｇｅｒｔｈｓｅｎ  ｅｔ  ａｌ．の前に述べられた論文において、位相板の像は、図１に示される。それは、中央の構造、おおよそ５０μｍの内径を備えた囲むアパーチャに載せられた、おおよそ３μｍの外径を備えた、現実の位相板、を示す。現実の位相板の外径は、小さい角度での散乱された電子の遮断を引き起こすが、低い空間周波数についてのカット・オフを導入するものである。囲むアパーチャの内径は、高度に散乱された電子の遮断を引き起こすと共に、このように高い空間周波数についてのカット・オフを導入する。
【００４６】
位相板が位置させられる平面の倍率を変動させることによって、カット・オフ周波数は、異なる用途の要件を満たすようにするために、変動させられることができる。
【００４７】
なおも当該発明に従った装置のさらなる実施形態において、補正系は、ダブレットを具備すると共に、後側焦平面及び位相板が置かれる平面の間における倍率は、ダブレットの倍率を変動させることによって、変動させられる。
【００４８】
対物系のレンズの後側焦平面及び位相板が存する平面の間における倍率を変動させるためにダブレットの可変な倍率を使用することによって、倍率は、余分な光学的な部分品を追加すること無しに変動させられることができる。
【００４９】
ＣＥＯＳ補正系において、これは、第一の六重極子へ後側焦平面を伝達するものである、伝達ダブレットとともにされることができる。
【００５０】
前記の倍率を変化させるとき、例．補正系の多重極子、の励起を変化させることが、必要なことであることがあることは、留意されることである。
【００５１】
別の実施形態において、補正系は、多重極子を具備すると共に、前記の多重極子及び位相板の間における二つのレンズは、倍率を変動させるために使用される。
【００５２】
多重極子及び位相板の間におけるレンズのダブレットを使用することによって、補正系において多重極子の励起を変化させること無しに後側焦平面から位相板の平面までの倍率を変化させることは、可能なことである。
【００５３】
当該発明に従った装置の別の実施形態において、レンズは、投射系の入口に試料を結像させるために補正系及び投射系の間に置かれる。
【００５４】
このレンズは、対物系のレンズ、補正系、及び前記のレンズの組み合わせによって形成された像が、単独で前記の対物系のレンズのものに等しい倍率を有するように、試料の像を脱拡大する（demagnify）ために使用されることができる。好都合なことは、投射系が、そのとき、補正器及び位相板無しの機器のものと同一のものであることができるというものである。
【００５５】
位相板が、このレンズの極片内に位置決めされることがあることは、留意されることである。
【００５６】
このレンズが、試料の像の収差に寄与することがあることは、さらに留意されることである。当業者に知られたもののように、大きい穴及び大きい間隙を備えたレンズは、このレンズの収差を最小にするために使用されることがある。大きい間隙を備えたレンズを使用することは、これが、位相板を保持する位置決めする機構の簡単なアクセスを可能とする際には、このレンズの極片の間に位相板を位置決めするとき、特に好都合なことである。
【００５７】
補正系が、また、前記のレンズの収差を補正することがあることは、述べられることである。
【００５８】
当該発明に従った装置のなおも別の実施形態において、補正系は、さらに、少なくとも部分的に、対物系のレンズの色収差を補正する。
【００５９】
当該発明に従った装置のまたさらに別の実施形態において、粒子のビームは、電子のビームである。
【００６０】
当該発明に従った装置のなおも別の実施形態において、位相板は、格納式に載せられる。
【００６１】
多数のＴＥＭのものは、走査型透過型電子顕微鏡（Scanning  Transmission  Electron  Microscope）（ＳＴＥＭ）として動作することが可能なものである。ＳＴＥＭにおいて、試料は、電子の微細に集束させられたビームで走査されると共に、例．透過させられた電子の量は、検出される。ＳＴＥＭは、位相板についての必要性を有するものではない。位相板の存在は、それが、透過させられた電子の一部を遮断することがありそうなものである際には、反生産的な（contra-productive）ものであることさえある。格納式の位相板を使用することによって、位相板は、ＳＴＥＭモードにおいて装置を使用するとき、引っ込められることができると共に、位相板は、ＴＥＭモードにおいて装置を使用するとき、挿入されることができる。
【００６２】
当該発明は、今、図の助けで解明されるが、そこでは、同一の符号は、対応する特徴を指す。
【００６３】
その目的のために：
図１Ａ及び図１Ｂは、概略的に、先行技術のＢｏｅｒｓｃｈの位相板を示す、
図２は、位相板無しの及び有りのＴＥＭのコントラスト伝達関数を示す、
図３は、概略的に、先行技術の補正系を示す、
図４は、概略的に、当該発明に従った補正系及び位相板の好適な実施形態を示す、
図５は、概略的に、補正系及び位相板の間における追加されたレンズとともに、当該発明に従った補正系及び位相板を示す、並びに、
図６は、概略的に、当該発明に従ったＴＥＭを示す。
【００６４】
図１Ａ及び図１Ｂは、概略的に、例．米国特許第５，８１４，８１５号に記載されたもののような、先行技術のＢｏｅｒｓｃｈの位相板を示す。
【００６５】
円筒の形態における中央の構造は、それの軸１に沿った穴とともに示されるが、その穴の内側は、円筒の軸のまわりに配置された三つの環に形作られた電極２Ａ，２Ｂ、及び３を示すものである。二つの外側の電極が、相互に電気的に接続される一方で、真ん中の電極３は、二つの外側の電極２Ａ及び２Ｂから絶縁される。円筒の表面４Ａ、４Ｂ、及び５を具備する導電性の外側の表面は、導電性の表面によって形成されるが、外側の電極２Ａ，２Ｂは、前記の導電性の外側の表面の一部分である。
【００６６】
位相板から、二つの又はより多くのスポーク６Ａ，６Ｂは、位相板を保持するために延在する。スポークの外側は、円筒の導電性の外側の表面に接続された電気的に伝導性の層を示す。スポークの少なくとも一つは、外側の層から絶縁された内側の導電性のトラック７を示すが、内側のトラックは、真ん中の電極３に電気的に接続される。
【００６７】
真ん中の電極へ電圧を印加することによって、（穴を通過する）散乱されてないビームの電子は、円筒の外側で進む電子と比べて（真ん中の電極の電圧に依存するが）より遅く又はより速く進むことになる。これは、ビームの散乱された部分が、真ん中の電極の電圧によって影響を受けてないものである際に、ビームの散乱された部分に関して位相シフトを経験するビームの散乱されてない部分に等価なものである。
【００６８】
導電性の外側の層は、どの角度で散乱された電子が散乱されるのか、及び、このように、どの程度くまで散乱された電子が円筒から取り除かれるのか、と独立な、散乱されてない電子及び散乱された電子の間における均一な位相シフトを引き起こすようにするために、円筒を囲む。導電性の層は、散乱されてないビームに対する真ん中の電極３の効果を制限すると共に、真ん中の電極３における電圧のおかげで円筒の外側の電場を予防する。
【００６９】
図２は、概略的に、位相板無しの及び有りのＴＥＭのＣＴＦを示す。
【００７０】
ＣＴＦは、コントラスト対空間周波数を示す、コントラスト伝達関数である。当業者に知られたもののように、最適なコントラスト、＋１のＣＴＦ又は−１のＣＴＦのいずれかは、使用されることができる。ＣＴＦが０を示す空間分解能を備えた試料における構造は、コントラストを示すものではないと共に、このように不可視のものである。
【００７１】
曲線Ａは、位相板無しの顕微鏡についてのＣＴＦを示す。ＣＴＦは、低い空間分解能について低いコントラストを示す。
【００７２】
曲線Ｂは、位相板有りのＴＥＭのＣＴＦを示す。ここで、コントラストは、低い空間周波数において最適なものを示す。
【００７３】
ブロックＣは、位相板の構造による電子の遮断のせいで空間分解能より下の信号の欠如を表す。
【００７４】
ＣＴＦの包絡線及びＣＴＦが水平の軸のまわりで振動する周波数が、対物系のレンズの球面収差係数及び色収差係数、対物系のレンズのデフォーカス（すなわち：試料の平面及び対物系のレンズの物体平面間における距離）、などのような顕微鏡のパラメーターによって支配されることは、留意されることである。
【００７５】
図３は、概略的に、ＣＥＯＳ  Ｇｍｂｈ．，Ｈｅｉｄｅｌｂｅｒｇ，Ｇｅｒｍａｎｙへの米国特許ＵＳ６，６０５，８１０に記載されたもののような先行技術の補正系を示す。このような補正系は、商業的に入手可能なものであると共に例．ＦＥＩ  Ｃｏｍｐａｎｙ，Ｈｉｌｌｓｂｏｒｏ，ＵＳＡのＴｉｔａｎＴＭ  ８０−３００ＴＥＭに組み込まれる。
【００７６】
補正系は、対物系のレンズ３０５の収差を補正するために使用される。試料は、試料の平面３０２において光軸３０１に位置決めされると共に対物系のレンズ３０５によって結像させられる。試料は、対物系のレンズの前側焦平面に置かれる。二つの主光線、試料の中心からある角度で来る光線３０３及び、光軸に平行な、試料からの軸外の点から来る光線３０４、は、この図において示される。光線３０４は、対物系のレンズの後側焦平面３０６において光軸と交差する（intercept）。補正系は、光軸３０１のまわりに配置される。レンズ３１０Ａ，３１０Ｂによって形成された伝達ダブレットは、第一の六重極子３１１Ａに後側焦平面を結像させる。レンズ３１２Ａ，３１２Ｂによって形成されたダブレットは、第二の六重極子３１１Ｂに第一の六重極子を結像させる。補正器の働きの詳細な記載については、これによって参照によって組み込まれた、米国特許第ＵＳ６，６０５，８１０号を参照のこと。
【００７７】
上記特許に議論されたものではないが、しかし補正系に含まれたものは、軸に光線３０３を集束させるアダプターレンズ３１３であるが、それによって平面３１４に試料の像を形成する。この像は、試料の拡大された像を形成するようにするために、ＴＥＭにおいて（示されたものではない）投射系についての物体として使用される。このレンズを使用することで、補正されたＴＥＭの投射系が、補正されたものではないＴＥＭの投射系に同一のものであることができるように、補正系無しの装置の倍率に匹敵する前記の倍率を作ることは、可能なことである。
【００７８】
対物系のレンズ３０５が、ここでは、レンズそれ自体の外側の試料の平面３０２とともに、薄いレンズとして示された便宜のためのものであることは、留意されることである。大部分のＴＥＭのものは、対物系のレンズとして厚いレンズを使用するが、そこでは、試料の位置は、対物系のレンズの（磁）場内に置かれる。
【００７９】
補正系が、対物系のレンズの収差を補正するだけでなく、補正系の他のレンズ（３１０Ａ，３１０Ｂ，３１２Ａ，３１２Ｂ，３１３）をもまた補正することは、また留意されることである。
【００８０】
図４は、概略的に、当該発明に従った補正系及び位相板の好適な実施形態を示す。
【００８１】
この実施形態において、図３に記載されたもののような、補正系３３０は、位相板３４０及び対物系のレンズ３０５の間に完全に置かれる。補正系のアダプターレンズ３１３の強さは、位相板に対物系のレンズの後側焦平面の像を形成するようにするために、わずかに変化させられる。この好適な実施形態において、追加的なアダプターレンズ３４１は、平面３４２に試料の像を形成するために追加されるが、前記の平面は、投射系についての物体平面として作用するものである。追加的なアダプターレンズは、補正系及び位相板無しの匹敵する装置において対物系のレンズによって形成される像と大きさにおいて匹敵する物体の像を形成するために使用される。
【００８２】
レンズ３１０Ａ，３１０Ｂによって形成されたダブレットが、位相板における後側焦平面の像の倍率を変動させるために使用されることができることは、留意されることである。これは、しかしながら、多重極子３１１Ａ及び３１１Ｂの励起が、また、変化させられるべきであることを暗示する。倍率が、任意に選抜されることができないことは、さらに注意されることである。補正系の多重極子におけるビームの直径が、小さいものであるとき、多重極子の大きい励起は、必要とされるが、それは、例．散逸の問題（磁気的な多重極子）、フラッシュ・オーバー（静電気的な多重極子）、などに至ることがある。ビームの大きい直径は、しかしながら、ビームが、多重極子の内径に近いものであることを暗示するが、例．前記の六重極子の実用的な実施によって発生させられたより高次の多重極子の場（例．Ｎ＞１２でのＮ個の極の場）、から結果として生じる収差を導入するものである。
【００８３】
図５は、概略的に、補正系及び位相板の間における追加されたレンズとともに、当該発明に従った補正系及び位相板を示す。
【００８４】
この実施形態においては、位相板の平面における後側焦平面の倍率を変動させるための別の方法は、レンズ３１３及び３１４によって形成されたダブレットを使用することである。この場合には、補正系を通じた主光線は、前記の倍率を変化させるとき、変化させられないと共に、このように補正系の励起は、前記の倍率を変動させるとき、変化させられることを必要とするものではない。
【００８５】
図６は、概略的に、当該発明に従ったＴＥＭを示す。
【００８６】
図６は、光軸６００に沿った、電子のような、粒子のビームを生成させる粒子源６０１を示す。粒子は、より高いエネルギー、例．４００ｋｅＶ−１ＭｅＶ、又は、より低いエネルギー、例．３０ｋｅＶ、が、使用されることがあるとはいえ、８０−３００ｋｅＶの典型的なエネルギーを有する。粒子のビームは、試料６０３に衝突する平行なビームを形成するためにコンデンサー系６０２によって操作されるが、試料は、試料ホルダー６０４と位置決めされる。試料ホルダーは、光軸に関して試料を位置決めすることができると共に光軸に対して垂直な平面において試料をシフトさせると共に前記の軸に関して試料をチルトさせることがある。対物系のレンズ３０５は、試料の拡大された像を形成する。対物系のものは、補正系３３０、例．図４において先に示されたもののような補正系、によって後に続けられる。アダプターレンズ３４１及び位相板３４０は、対物系のレンズの後側焦平面に共役させられた平面に置かれるが、前記の共役させられた平面は、補正系及び投射系６０６の間に位置決めされる。位相板は、位相板が光軸のまわりにセンタリングされることを可能にする、マニピュレーター６０５と位置決めされる。投射系は、検出器６０７に試料の拡大された像を形成するが、それによって例．０．０５ｎｍ、の試料の細部を明かす。検出器は、蛍光スクリーン、又は、例．ＣＣＤカメラ、の形態をとることがある。例．蛍光スクリーンの場合においては、スクリーンは、ガラス窓６０８を介して目視されることができる。
【符号の説明】
【００８７】
１    軸
２Ａ，２Ｂ，３    電極
４Ａ，４Ｂ，５    円筒の表面
６Ａ，６Ｂ    スポーク
７    内側のトラック
３０１，６００    光軸
３０２    試料の平面
３０３，３０４    光線
３０５    対物系のレンズ
３０６    後側焦平面
３１０Ａ，３１０Ｂ，３１２Ａ，３１２Ｂ    レンズ
３１１Ａ，３１１Ｂ    六重極子
３１３，３４１    アダプターレンズ
３１４，３４２    平面
３３０    補正系
３４０    位相板
６０１    粒子源
６０２    コンデンサー系
６０３    試料
６０４    試料ホルダー
６０５    マニピュレーター
６０６    投射系
６０７    検出器
６０８    ガラス窓
Ａ，Ｂ    曲線
Ｃ    ブロック
【図１Ａ】
2009193963.tif 000003
【図１Ｂ】
2009193963.tif 000004
【図２】
2009193963.tif 000005
【図３】
2009193963.tif 000006
【図４】
2009193963.tif 000007
【図５】
2009193963.tif 000008
【図６】
2009193963.tif 000009